(57)【要約】【目的】  商品を目立たせる梱包デザインとなると各社似通ったデザインとなることも多々あり、陳列棚に展示された商品があまり目立たないことも多い。従って、他社と似通った梱包デザインや台紙デザインになった場合でも自社の巻尺を目立たせることができる商品展示具を提供することを目的する。【構成】  周囲を隔壁２で囲み且つ前面を開口した本体の背部に、店舗に設置される陳列棚９の吊着アーム１０が通過できる係着孔３を設け、さらに、本体内に被販売物品を展示するためのアーム４を設ける。【選択図】  図１
2006198133.tif 000002
【特許請求の範囲】
【請求項１】
周囲を壁で囲まれ且つ前面が開口された本体に、店舗に設置される陳列棚に係着できる係着手段が設けられており、さらに、本体内に被販売物品を展示するための展示手段を設けてなることを特徴とする商品展示具
【請求項２】
前記本体背部に壁が設けられていることを特徴とする請求項１の商品展示具
【請求項３】
前記壁の任意の部位に通孔または切り欠きが形成されていることを特徴とする請求項１の商品展示具
【請求項４】
前記係着手段が、陳列棚の商品吊着用アームに係着できるようになっているものであることを特徴とする請求項１の商品展示具
【請求項５】
前記係着手段は商品吊着用アームの設置位置に合わせてその位置を調節できるようになっていることを特徴とする請求項４の商品展示具
【請求項６】
前記展示手段が、商品を吊着状態で展示できるようになっているものであることを特徴とする請求項１の商品展示具
【請求項７】
前記展示手段が、商品を立置き状態で展示できるようになっているものであることを特徴とする請求項１の商品展示具
【請求項８】
手持ち移動可能な小型であることを特徴とする請求項１の商品展示具
【請求項９】
床上に自立できるようになっていることを特徴とする請求項１の商品展示具
【請求項１０】
巻尺用のものであると共に、被販売物品が巻尺であることを特徴とする請求項１の商品展示具
【請求項１１】
被販売物品を、手持ち移動できると共に床上に自立可能になっている請求項１記載の展示具にセットし、その展示具を任意の場所に移動させながら商品を展示することを特徴とする商品展示方法
【請求項１２】
前記展示具を移動させる場所が、少なくとも店舗に設置される陳列棚の被販売物品コーナーとレジテーブルの近傍またはイベントコーナーであることを特徴とする請求項１１の商品展示方法
【請求項１３】
前記展示具が巻尺用のものであると共に、被販売物品が巻尺であることを特徴とする請求項１１の商品展示方法
【発明の詳細な説明】
【技術分野】
【０００１】
本発明は、商品の展示具とその展示具を用いた商品展示方法に関するものである。
【背景技術】
【０００２】
従来、ホームセンター等の店舗において、展示販売する物品の多くは一定の場所に置かれて展示されており、客は自分の目的とする物品の展示場所（コーナー）に行ってそこで使用目的にあった所望の物品を取り、店舗の出口付近に設けられているレジで支払いを済ませて帰って行くのが普通である。また、巻尺においても上述する形態で展示販売されている。
【０００３】
その巻尺の展示は、陳列棚に備える商品吊着用アームにブリスターパック詰めの巻尺が吊着されて展示販売されている。そして、展示は店舗の展示方針に従ってさまざまであり、巻尺のメーカー別にまとめられていたり、各メーカーが混在した状態で用途別や材質別などにまとめられていることもある。
【発明の開示】
【発明が解決しようとする課題】
【０００４】
従って、メーカー各社はこのような陳列状態においても、自社の巻尺が目立つように、また、客の購買意欲を増すようにと、ブリスターパックの台紙デザインを創造している。
しかして、目立たせるデザインとなると各社似通ったデザインとなることも多々あり、陳列棚に展示された巻尺があまり目立たないことも多いのである。
【０００５】
本発明は上述した問題点に鑑みてなされたもので、他社と似通った梱包デザインや台紙デザインになった場合でも自社の巻尺を目立たせることができる商品展示具を提供することを目的とし、さらに、この示具を用いて行う商品展示方法を提供することを目的とするものである。
【課題を解決するための手段】
【０００６】
本発明の要旨とするところは、周囲を壁で囲まれ且つ前面が開口された本体に、店舗に設置される陳列棚に係着できる係着手段が設けられており、さらに、本体内に被販売物品を展示するための展示手段を設けてなることを特徴とする商品展示具である。
【０００７】
本発明の商品展示具とその展示具を用いた商品展示方法を詳しく説明すると、
展示具は、少なくとも量販店等の店舗に設置される床置形態の陳列棚に係着するものである。展示具本体の周囲は任意の形態の壁が設けられており、その壁の上方は開口されている。また、壁は本体の周囲に設けられるが、必ずや本体全周を取り囲むように設ける必要はなく、展示具の使用形態に合わせて所望する任意の方向に壁を設ければよい。さらには、壁の下方にも任意の形態の壁を設けてもよい。前記した壁の上方、壁の下方とは、立設された壁を主体に見るものであり、本展示具の使用状態においては、壁の上方とは展示具の前方を指し、壁の下方とは展示具の後方すなわち背部方向を指すものである。
壁の形態は、隔壁的な仕切りとして透視または半透視が一切できないものや、壁面に多数の通孔（メッシュ状）や切り欠きが形成されたもの等、所望の形態のものを用いればよい。勿論、素材も特に限定するものではなく、鋼材や樹脂素材また紙材等の所望の素材から形成すればよい。また、透明または半透明の素材を用いてもよい。
【０００８】
展示具の陳列棚に係着できる係着手段とは、展示具を陳列棚の任意の部分に直接または間接的に引っ掛けたり、あるいは、ネジやクランプ等の固定部材によって固定的に取り付けることができるようになっているものである。
しかしながら、展示具の陳列棚への着脱を容易にする係着手段としては、陳列棚の商品吊着用アームに係着できるようになっているものがよく、具体的な形態としては、展示具本体の任意の部位に陳列棚の商品吊着用アームが通過できる通孔を設けたり、また、商品吊着用アームに引っ掛けられるようなフックを設けるようにしてもよい。そして、この商品吊着用アームに係着できるようにした係着手段は、陳列棚の商品吊着用アームの設置位置に合わせてその位置を調節できるようにしてもよい。
【０００９】
被販売物品を展示するための展示手段とは、販売する商品を展示するために設けたものであり、商品を展示する形態によって所望の構造となる。
具体的には、商品を吊着状態で展示しようとする場合は商品を吊着するための任意のアームを設ければよい。商品を立置き状態で展示しようとする場合は商品を置くための棚を設け、必要に応じて商品を支える壁やスタンド等を設けるようにしてもよい。 勿論、吊着状態または立置き状態で展示する場合は、商品の梱包形態も含め商品形態に合わせて構成すればよい。特に、本展示具を用いて展示する商品は巻尺がよい。
【００１０】
展示具は、その展示具本体内に収容（セット）する商品によって形状や大きさ等を任意に選定すればよいが、望ましくは、手持ち移動可能な小型に形成するのがよい。また、展示具は床上に自立できるようになっているのが望ましい。その自立構造も特に限定するものではなく、展示具を直接に床上に置くことができるように形成したり、また、任意の部材（脚やスタンド等）を介在させることによって展示具が自立できるようにしてもよい。勿論、傾斜面に置けるように任意のジャッキ等を設けてもよい。
【００１１】
そして、本展示具を用いた商品展示方法としては、被販売物品を、手持ち移動できると共に床上に自立可能になっている請求項１記載の展示具にセットし、その展示具を任意に設定した期間毎に任意の場所に移動させながら商品を展示するようにしてもよい。また、展示具を移動させる場所は特に限定するものではないが、少なくとも店舗に設置される陳列棚の被販売物品コーナーとレジテーブルの近傍またはイベントコーナーとするのが望ましい。特に、本展示具を用いて展示する商品は巻尺がよい。
【００１２】
従って、本発明の商品展示具とそれを用いた商品展示方法は以上のようになっているので、展示具が陳列棚の商品吊着用アームに係着できるように構成されている場合には、商品がセットされた展示具を、陳列棚の商品吊着用アームに展示具本体に形成されている通孔を通すことによってその展示具が陳列棚の商品吊着用アームに吊着状態に係着される。
これにより、展示具内にセットされた商品は、展示具の周囲に設けられている壁によって隣接する他の同類の商品から隔離され、客の目は、あたかも額に入った絵画を見ているように展示具内の商品に視線が集中する。
【００１３】
また、本展示具を用いた商品展示方法は、商品の販売をより小回りに行うことができる。すなわち、展示具にセットする商品に関係する商品が展示されているコーナーに展示具ごと移動することができる。さらには、展示具にセットする商品に関係する職業の客が来店する時間帯に合わせて、レジテーブルの近傍またはイベントコーナー等に展示具を移動させて展示することができる。
【発明の効果】
【００１４】
本発明の商品展示具とそれを用いた商品展示方法は以上のようになっているので、同様な色彩やデザインが氾濫する陳列棚の同類の商品郡の中から客に商品を注目させることができる。そして、シリーズ物の商品に対する顧客アピール度を極めて高いものとすることができる。
また、展示具ごと商品を自由に移動できるので、客筋に合わせて展示場所を容易に移動することができ、商品の販売タイミングを逃すことがない。
【発明を実施するための最良の形態】
【００１５】
そ本発明の商品展示具とそれを用いた商品展示方法を以下図面に従って説明すると、図１は、本発明に係る商品展示具の斜視図であり、１は商品展示具、２は隔壁、３は商品展示具１を陳列棚９の吊着アーム１０に係着するための係着孔、４は巻尺等が梱包されたブリスターパックを吊着するためのアームである。本図の商品展示具１は、隔壁２を周囲４方と背部に設け、また、その隔壁２をメッシュ状の部材で形成したものである。図面上、隔壁２のメッシュ形態は隔壁２の一部分のみ表示されているが、実際のものは隔壁２の全部分がメッシュ状となる。
【００１６】
図２は、他の形態の商品展示具の斜視図であり、本図の商品展示具１は、隔壁２を対向する２方と背部に設け、また、その隔壁２をメッシュ状の部材で形成したものである。１は商品展示具、２は隔壁、３は係着孔、４はアームである。
【００１７】
図３は、他の形態の商品展示具の斜視図であり、本図の商品展示具１は、隔壁２を周囲４方と背部に設け、また、その隔壁２を透視できない素材で形成したものである。１は商品展示具、２は隔壁、２１はパネル、３は係着孔、４はアームである。そして、パネル２１には商品の説明やキャッチフレーズまた自社名等を表示する。
【００１８】
図４は、図１の商品展示具の側面図であり、商品展示具１内に設けたアーム４に商品を吊着した状態を示している。この商品は、ブリスターパックで梱包された巻尺である。
【００１９】
図５は、他の形態の商品展示具の斜視図であり、１は商品展示具、２は隔壁、３は商品展示具１を陳列棚９の吊着アーム１０に係着するための係着孔、５は巻尺等が梱包されたブリスターパックを載置するためのテーブルである。
本図の商品展示具１は、隔壁２を周囲４方と背部に設け、また、その隔壁２を透視できない素材で形成したものである。また、隔壁２は図の下方を除く３方でもよい。
【００２０】
図６は、図５の商品展示具の側面図であり、商品展示具１内に設けたテーブル４に商品を載置した状態を示している。この商品は、ブリスターパックで梱包された巻尺である。
【００２１】
図７は、他の形態の商品展示具の一部拡大斜視図であり、本図の商品展示具１は、陳列棚９の吊着アーム１０に係着するための係着孔７１を備えたスライド係着具７が、商品展示具１本体に設けた支持材６上をスライドできるように構成したものである。すなわち、陳列棚９の吊着アーム１０の左右方向の位置を変えることなく、商品展示具１を吊着アーム１０に係着できるようにしたものである。
【００２２】
図８は、他の形態の商品展示具の斜視図であり、本図の商品展示具１は、本体背部の隔壁２に、陳列棚９の吊着アーム１０に係着するための係着孔３を多数形成したものである。
【００２３】
図９は、他の形態の商品展示具の斜視図であり、本図の商品展示具１は、本体の自立性を容易にするためのジャッキ脚８を設けたものである。
【００２４】
図１０および図１１は、商品展示具の使用状態を示す図であり、図１０は、商品展示具１を陳列棚９の吊着アーム１０部に係着した状態を示しており、また、図１１は、商品展示具１を陳列棚９下方の載置テーブル１１部に置いた状態を示すものである。
【図面の簡単な説明】
【００２５】
【図１】本発明に係る商品展示具の斜視図
【図２】他の形態の商品展示具の斜視図
【図３】他の形態の商品展示具の斜視図
【図４】図１の商品展示具の側面図
【図５】他の形態の商品展示具の斜視図
【図６】図５の商品展示具の側面図
【図７】他の形態の商品展示具の一部拡大斜視図
【図８】他の形態の商品展示具の斜視図
【図９】他の形態の商品展示具の斜視図
【図１０】商品展示具の使用状態を示す図
【図１１】商品展示具の使用状態を示す図
【符号の説明】
【００２６】
１−商品展示具，２−隔壁，２１−パネル，３−係着孔，４−アーム，５−テーブル，６−支持材，７−スライド係着具，７１−係着孔，８−ジャッキ脚，９−陳列棚，１０−吊着アーム，１１−載置テーブル，１２−商品，１２１−商品
【図１】
2006198133.tif 000003
【図２】
2006198133.tif 000004
【図３】
2006198133.tif 000005
【図４】
2006198133.tif 000006
【図５】
2006198133.tif 000007
【図６】
2006198133.tif 000008
【図７】
2006198133.tif 000009
【図８】
2006198133.tif 000010
【図９】
2006198133.tif 000011
【図１０】
2006198133.tif 000012
【図１１】
2006198133.tif 000013